(57)【要約】【課題】衛星放送や地上波放送等のデジタル放送信号をＣＡＴＶ網に再送信する再送信装置において、ＣＡＴＶ局と未契約の視聴者の不正な視聴を防止する。【解決手段】再送信装置１０４は、デジタル放送信号を受信する受信アンテナ１０９と、変調されたデジタル放送信号を復調するＱＰＳＫ復調部２０２と、ＥＭＭ情報等をＣＡＴＶ用に変換するＰＳＩ変換部２０３と、ＥＭＭ本体に付与されている宛先ＩＤを検出するＥＭＭ宛先ＩＤ検出部２０５と、前記宛先ＩＤがＣＡＴＶ局と契約済か否か判断する契約状態判別部２０６と、未契約の宛先ＩＤが付されたＥＭＭ情報を無効化するＥＭＭ情報無効化部２０７と、復調されたデジタル放送信号をＣＡＴＶ用にデジタル変調するＱＡＭ変調部２０４とを備える。【選択図】　図２
2004112527.tif 000002
【特許請求の範囲】
【請求項１】
暗号化された放送信号と、前記放送信号の暗号を復号化するために必要な制御情報とを受信して、契約したユーザ側に伝送路を介して再送信する再送信装置であって、
前記制御情報は、当該制御情報の送信先を特定する宛先を有し、
前記再送信装置は、
受信した前記制御情報の宛先を検出する宛先検出手段と、
検出された前記宛先が契約済ユーザの宛先であるか否かを判別する宛先判別手段と、
前記判別の結果、前記契約済ユーザの宛先でなければ、前記契約済でないユーザの宛先を有する前記制御情報を無効化する制御情報無効化手段と
を備えることを特徴とする再送信装置。
【請求項２】
前記宛先判別手段は、
前記契約済ユーザの宛先が記載されたリスト保持手段を備え、
前記宛先検出手段により検出された宛先と前記リスト保持手段に保持されている契約済ユーザの宛先とを比較することにより契約状態の可否を判断する
ことを特徴とする請求項１記載の再送信装置。
【請求項３】
前記制御情報無効化手段は、前記制御情報を前記ユーザ宛のメッセージで置き換えることにより前記制御情報を無効化する
ことを特徴とする請求項１記載の再送信装置。
【請求項４】
前記制御情報無効化手段は、前記制御情報を所定ビットパターンで置き換えることにより前記制御情報を無効化する
ことを特徴とする請求項１記載の再送信装置。
【請求項５】
前記制御情報無効化手段は、前記制御情報を削除することにより前記制御情報を無効化する
ことを特徴とする請求項１記載の再送信装置。
【請求項６】
前記制御情報は、伝送情報の伝送誤りを検出するための誤り検出情報を含み、
前記再送信装置は、前記誤り検出情報を更新する検出情報更新手段
を備えることを特徴とする請求項１記載の再送信装置。
【請求項７】
前記制御情報は、ＥＭＭ情報であり、当該ＥＭＭ情報は、各契約済ユーザ宛の宛先ＩＤが付された個別のＥＭＭ情報を含み、
前記宛先検出手段は、受信した前記宛先ＩＤを検出する宛先ＩＤ検出手段であり、
前記宛先判別手段は、検出された前記宛先ＩＤと契約済ユーザの契約ＩＤとが一致するか否かを判別する契約状態判別手段であり、
前記制御情報無効化手段は、前記判別の結果、前記宛先ＩＤと前記契約ＩＤとが一致しなければ、一致しない前記宛先ＩＤが付される前記個別のＥＭＭ情報を無効化するＥＭＭ情報無効化手段である
ことを特徴とする請求項１記載の再送信装置。
【請求項８】
前記契約状態判別手段は、
前記契約済ユーザの契約ＩＤのリストを保持するリスト保持手段を備え、
前記宛先ＩＤと前記リスト保持手段に保持された前記契約ＩＤとを比較することにより契約状態の可否を判別する
ことを特徴とする請求項７記載の再送信装置。
【請求項９】
前記ＥＭＭ情報無効化手段は、前記ＥＭＭ情報を、特定メッセージを表示するメッセージ表示機能情報で置き換えることにより前記ＥＭＭ情報を無効化する
ことを特徴とする請求項７記載の再送信装置。
【請求項１０】
前記ＥＭＭ情報無効化手段は、前記ＥＭＭ情報を所定ビットパターンで置き換えることにより前記ＥＭＭ情報を無効化する
ことを特徴とする請求項７記載の再送信装置。
【請求項１１】
前記ＥＭＭ情報無効化手段は、前記ＥＭＭ情報を削除することにより前記ＥＭＭ情報を無効化する
ことを特徴とする請求項７記載の再送信装置。
【請求項１２】
前記ＥＭＭ情報は、再送信側における伝送情報の伝送誤りを検証するためのＣＲＣ情報を含み、
前記ＥＭＭ情報無効化手段は、前記宛先ＩＤと前記契約ＩＤとが一致しない場合には、前記宛先ＩＤが付されるＥＭＭ情報と前記ＣＲＣ情報を変化させない所定ビットパターンとの排他的論理和をとることにより前記ＥＭＭ情報を無効化する
ことを特徴とする請求項７記載の再送信装置。
【請求項１３】
前記再送信装置は、さらに、ＣＲＣ情報を更新するＣＲＣ更新手段を備え、
前記ＣＲＣ更新手段は、
前記ＥＭＭ情報が前記ＥＭＭ情報無効化手段により無効化された場合には、前記ＣＲＣ情報を計算した結果の値で更新する
ことを特徴とする請求項９から請求項１１のいずれか１項に記載の再送信装置。
【請求項１４】
放送センタと、再送信装置と、複数の受信機とから成る再送信システムであって、
前記放送センタは、
第１の伝送路を介して前記再送信装置に放送信号と制御情報とを送信し、
前記制御情報は、当該制御情報の送信先を特定する宛先を有し、
前記再送信装置は、
前記第１の伝送路を介して前記放送信号と前記制御情報とを受信し、第２の伝送路を介して前記複数の受信機に送信する装置であって、
受信した前記制御情報の宛先を検出する宛先検出手段と、
検出された前記宛先が契約済ユーザの契約であるか否かを判別する宛先判別手段と、
前記判別の結果、前記契約済ユーザの宛先でなければ、前記制御情報を無効化する制御情報無効化手段とを備え、
前記複数の受信機は、
前記再送信装置から受信した前記制御情報を用いて、前記再送信装置から受信した前記放送信号の暗号を復号化する
ことを特徴とする再送信システム。
【請求項１５】
放送センタと、再送信装置と、複数のＣＡＴＶ受信機とから成る再送信システムであって、
前記放送センタは、
第１の伝送路を介して衛星回線で前記再送信装置にデジタル放送信号とＥＭＭ情報とを送信し、
前記ＥＭＭ情報は、各契約済ユーザ宛の宛先ＩＤが付された個別のＥＭＭ情報を含み、
前記再送信装置は、
前記第１の伝送路を介して前記デジタル放送信号と前記ＥＭＭ情報とを受信し、第２の伝送路を介して前記複数のＣＡＴＶ受信機に送信する装置であって、
受信した前記宛先ＩＤを検出する宛先ＩＤ検出手段と、
検出された前記宛先ＩＤと契約済ユーザの契約ＩＤとが一致するか否かを判別する契約状態判別手段と、
前記判別の結果、前記宛先ＩＤと前記契約ＩＤとが一致しなければ、一致しない前記宛先ＩＤが付された前記個別のＥＭＭ情報を無効化するＥＭＭ情報無効化手段とを備え、
前記複数のＣＡＴＶ受信機は、
前記再送信装置から受信した前記ＥＭＭ情報を用いて、前記再送信装置から受信した前記デジタル放送信号の暗号を復号化する
ことを特徴とする再送信システム。
【請求項１６】
暗号化された放送信号と、前記放送信号の暗号を復号化するために必要な制御情報とを受信して、契約したユーザ側に伝送路を介して再送信する再送信方法であって、
前記制御情報は、当該制御情報の送信先を特定する宛先を有し、
前記再送信方法は、
受信した前記制御情報の宛先を検出する宛先検出ステップと、
検出された前記宛先が契約済ユーザの宛先であるか否かを判別する宛先判別ステップと、
前記判別の結果、前記契約済ユーザの宛先でなければ、前記契約済でないユーザの宛先を有する前記制御情報を無効化する制御情報無効化ステップと
を含むことを特徴とする再送信方法。
【請求項１７】
前記制御情報は、ＥＭＭ情報であり、当該ＥＭＭ情報は、各契約済ユーザ宛の宛先ＩＤが付された個別のＥＭＭ情報を含み、
前記宛先検出ステップでは、受信した前記宛先ＩＤを検出し、
前記宛先判別ステップでは、検出された前記宛先ＩＤと契約済ユーザの契約ＩＤとが一致するか否かを判別し、
前記制御情報無効化ステップでは、前記判別の結果、前記宛先ＩＤと前記契約ＩＤとが一致しなければ、一致しない前記宛先ＩＤが付される前記個別のＥＭＭ情報を無効化する
ことを特徴とする請求項１６記載の再送信方法。
【請求項１８】
暗号化された放送信号と、前記放送信号を復号化するために必要な制御情報とを受信して、契約したユーザ側に伝送路を介して再送信する再送信装置のためのプログラムであって、
請求項１から請求項１３のいずれか１項に記載の再送信装置が備える全ての手段をコンピュータに実行させることを特徴とするプログラム。
【発明の詳細な説明】
【０００１】
【発明の属する技術分野】
本発明は、放送センタより送信される衛星放送や地上波放送等のデジタル放送信号を受信して、ＣＡＴＶ網等の伝送路に再送信する再送信装置に関し、特に、ＣＡＴＶ局と契約することなくＣＡＴＶ網を利用して番組を視聴する不正視聴を防止する技術に関するものである。
【０００２】
【従来の技術】
周知のように、デジタル衛星放送として先鞭である通信衛星ＣＳ（Ｃｏｍｍｕｎｉｃａｔｉｏｎ　　Ｓａｔｅｌｌｉｔｅ）に引き続き、２０００年１２月より放送衛星ＢＳ（Ｂｒｏａｄｃａｓｔｉｎｇ　Ｓａｔｅｌｌｉｔｅ）によるデジタル方式のテレビジョン放送が開始された。
【０００３】
また、２００３年度より関東、近畿等の一部の地域において、地上波放送が、現在のアナログ放送方式よりデジタル方式へ移行することが予定されており、近い将来である２０１１年度には、現在のアナログ放送は廃止される予定である。このように、従来の無線放送は、デジタル放送へ移行し、デジタル放送による多チャンネル化への放送形態に移行しつつある。
【０００４】
そして、デジタル放送信号を受信する方法として、ＢＳやＣＳの衛星からの電波を受信するためのアンテナを屋外に設置して直接受信する受信形態の他に、有線放送であるＣＡＴＶ網を用いて受信する方法がある。このＣＡＴＶ網においては、上述したようなデジタル放送化への流れに沿うように、ＣＡＴＶ局自らの自主放送のデジタル放送化に加え、提供チャンネル数の拡大や加入者保護等の観点から、無線放送をＣＡＴＶ局が一括受信して、ＣＡＴＶ局に設けられる再送信装置によりＣＡＴＶ網へ再送信して視聴者に番組を提供することを行っている。
【０００５】
しかし、デジタル放送信号をデジタル形式のままＣＡＴＶ網を通じて伝送する場合に、伝送容量が問題となっていた。この問題を解決するためデジタル放送信号をＣＡＴＶ局に設置される再送信装置により再送信する際に、変調変換（トランスモジュレーション）方式を用いた方法が存在する。この変調変換方式は、ＢＳデジタル放送や１１０度ＣＳ放送では、複数のトランスポート・ストリームが１本のトランスポンダに収められているが、これらの全体をＣＡＴＶのチャンネルに移すことは困難であるため、これらのトランスポート・ストリームを２分割して２つのＣＡＴＶチャンネルを用いてデジタル伝送しようとするものである。従って、変調変換方式においては、簡易なシステムでＣＡＴＶ局での再送信を実現できる。
【０００６】
そして、ＷＯＷＯＷ等の有料チャンネルにおいては、限定受信システムであるＣＡＳ（Ｃｏｎｄｉｔｉｏｎａｌ　Ａｃｃｅｓｓ　Ｓｙｓｔｅｍ）が使用され、正規に契約している加入者に対しては番組を視聴可能にし、一方、非加入者には映像や音声にスクランブルを掛けて見られないようにする。また、ＢＳデジタル放送では、このＣＡＳとしてＢ−ＣＡＳが採用される。
【０００７】
デジタル放送のＣＡＳには、一般的には３種の暗号鍵が使用されている。その一つは、マスター鍵（Ｋｍ）という鍵を持つ暗号であり、このマスター鍵（Ｋｍ）は、衛星放送局から加入者に向けて送信する契約された番組の視聴許可、加入者の契約期間等の様々なＥＭＭ（Ｅｎｔｉｔｌｅｍｅｎｔ　Ｍａｎａｇｅｍｅｎｔ　Ｍｅｓｓａｇｅ：管理用メッセージ）情報を暗号化して送信するためのものである。このＥＭＭ情報は、各受信機宛のＥＭＭ情報複数と、これらＥＭＭ情報の前後をＥＭＭセクションヘッダとＥＭＭセクションテーラとで挟んだＥＭＭセクションとよばれる形式で送信される。ＥＭＭセクションは、通常、放送センタで映像、音声、データ等のデジタル放送信号と多重化して、トランスポート・ストリームパケットにして送信されるものである。
【０００８】
図１２は、従来のＣＡＴＶ局における再送信装置１２０４の構成を示すブロック図である。この再送信装置１２０４は、ＣＡＴＶ局に設けられ、変調変換方式等により受信アンテナ１０９を介して受信されたデジタル放送信号をＣＡＴＶ網１０５へ再送信する装置であり、受信アンテナ１０９、ＱＰＳＫ（Ｑｕａｄｒａｔｕｒｅ　Ｐｈａｓｅ　Ｓｈｉｆｔ　Ｋｅｙｉｎｇ）復調部２０２、ＰＳＩ（Ｐｒｏｇｒａｍ　Ｓｐｅｃｉｆｉｃ　Ｉｎｆｏｒｍａｔｉｏｎ　）変換部２０３、及びＱＡＭ（Ｑｕａｄｒａｔｕｒｅ　Ａｍｐｌｉｔｕｄｅ　Ｍｏｄｕｌａｔｉｏｎ）変調部２０４を備えている。
【０００９】
ＱＰＳＫ復調部２０２は、受信アンテナ１０９を介して受信するＢＳデジタル放送、スカイパーフェクトＴＶ等の衛星通信によく用いられるＱＰＳＫ変調されたデジタル放送信号の復調の処理を行う。
【００１０】
また、デジタル放送信号と多重化されて送信されるトランスポート・ストリームパケットには、映像、音声、データの他に受信機の制御や視聴者の利便のために必要なＰＳＩ情報、変調周波数等の伝送路情報とコンテンツを関連付ける情報を伝送するためのネットワーク管理テーブル（ＮＩＴ）等が入れられたパケットが付け加えられているため、ＰＳＩ変換部２０３は、前記ＰＳＩ情報、前記ネットワーク管理テーブル（ＮＩＴ）等を、衛星伝送用途からＣＡＴＶ伝送用途へ変換する。このことにより、デジタル放送においては、多彩な形態のサービスが可能となる。
【００１１】
ＱＡＭ変調部２０４は、復調されたデジタル放送信号をＣＡＴＶ用にデジタル変調して、ＣＡＴＶ網１０５へ送出する。
【００１２】
以上のように、従来の変調変換方式を用いた再送信装置１２０４は、単にデジタル放送信号をＣＡＴＶ網１０５に適した変調方式に変調するのみであり、ＥＭＭ情報等の内容は関与せずに再送信する。
【００１３】
そして、有料放送のＢＳデジタル放送等のデジタル放送に関しては、視聴者は放送センタに加入料、視聴料を払い契約を結ぶことにより好みの番組の視聴が可能となる。ＢＳデジタル放送においては、Ｂ−ＣＡＳカードと呼ばれるＩＣカードを用いた限定受信システムが取り入れられている。このＩＣカードには、例えば、４桁５ブロックの番号が付されており、この番号がカスタマーＩＤになる。有料チャンネルには、通常スクランブルが掛けられており、未契約だと画面がブラックアウトされて視聴できない。このため、視聴者は、受信機にスクランブルを解くためのマスター鍵（Ｋｍ）を有するＩＣカードが必要となる。
【００１４】
しかし、上述したように、従来の変調変換方式では、Ｂ−ＣＡＳ等もそのままの形でＣＡＴＶ伝送に流用することができるため、ＣＡＴＶ局の手間は省ける一方、Ｂ−ＣＡＳはＣＡＴＶ伝送を含む各種のメディアで使用することが契約合意されているため、ＣＡＳに関してはＣＡＴＶ局の独自性が失われている。
【００１５】
すなわち、例えば、衛星受信機等を用いて放送センタと直接契約した視聴者が、放送センタと契約済のＩＣカードを用いてＣＡＴＶ用の受信機に挿入すれば、ＣＡＴＶ局の契約とは無関係にデジタル放送等の視聴が可能となってしまう。また、視聴者は、故意に不正を行うつもりがなくても衛星放送や地上波放送の有料放送と契約している意識であるため、転居する際にＣＡＴＶ局には連絡せずに転居先のＣＡＴＶ網に接続してしまい、視聴が可能となってしまう。
【００１６】
従って、従来のＣＡＴＶ局は、視聴者に無料で伝送路を貸している状態となり、ＣＡＴＶ局との契約とは無関係に有料のデジタル放送を不正に視聴される恐れがあると共に、視聴者からの確実な料金回収が行えないという問題が生じている。また、ＣＡＴＶ局が把握していない不正な受信機からノイズ等が生じる事により、ＣＡＴＶ網全体が影響を受けたとしても、ＣＡＴＶ局は早急な対応を行えない可能性もある。
【００１７】
さらに、現在、衛星を介してデジタル放送を受信する衛星受信機と、ＣＡＴＶ網を介して有線放送にてデジタル放送を受信するＣＡＴＶ受信機とは、コスト削減や受信機の共通化を図るために同じような構成となっている。このことも、ＣＡＴＶ局の番組の不正視聴を増長させる一因となっている。
【００１８】
そこで、従来、このような不正視聴を防止するため、ＣＡＴＶ局がＣＡＴＶ網に不正に接続されたＣＡＴＶ受信機の機能を停止させるような信号を再送信装置よりＣＡＴＶ受信機へ送信することで不正視聴を防止する制御方法がある。しかし、全てのＣＡＴＶ受信機がこの制御方法に対応しておらず、有効な不正視聴防止方法とはいえない。
【００１９】
また、ＣＡＴＶ局に設けられた中継局において、放送センタからの放送信号を中継する場合に、前記中継局が備える制御信号処理部が、前記放送信号の一部の伝送制御情報に視聴可否情報を付加するようにし、このことにより、伝送路を介して接続された端末装置に設けられたフロントエンド部等が、前記視聴可否情報を判断して放送の視聴制御を行う方法がある（例えば特許文献１参照）。
【００２０】
【特許文献１】
特開２００１−２８５８２１号公報
【００２１】
【発明が解決しようとする課題】
しかし、前記のように、従来のＣＡＴＶ局に備えられる中継局においては、この中継局が新たな情報である視聴可否情報を作成し、端末装置に対してこの視聴可否情報を送って端末装置側に備えられるフロントエンド部等により視聴制御を行うことはできる。しかし、この場合においては端末装置がフロントエンド部等を備えている必要がある。
【００２２】
そこで、前記課題に鑑み、本発明は、放送センタと契約していてもＣＡＴＶ局との正規の契約をしていない視聴者の不正な視聴を防止すると共に、デジタル放送の視聴者からの確実な料金回収を行うことができる再送信装置を提供することを第１の目的とする。
【００２３】
また、本発明に係る再送信装置は、故意や過失がなくＣＡＴＶ局より再送信されるデジタル放送を不正視聴している視聴者へ、ＣＡＴＶ局と正規の契約を促すメッセージを送ることにより不正な視聴を防止すると共に、デジタル放送の視聴者からの確実な料金回収を行うことを第２の目的とする。
【００２４】
さらに、本発明は、デジタル放送信号を共に送信されるＥＭＭ情報を、処理負荷がかからないような簡易な形で無効化することができる再送信装置を提供することを第３の目的とする。
【００２５】
【課題を解決するための手段】
前記第１の目的を達成するために、本発明に係る再送信装置は、暗号化された放送信号と、前記放送信号の暗号を復号化するために必要な制御情報とを受信して、契約したユーザ側に伝送路を介して再送信する再送信装置であって、前記制御情報は、当該制御情報の送信先を特定する宛先を有し、前記再送信装置は、受信した前記制御情報の宛先を検出する宛先検出手段と、検出された前記宛先が契約済ユーザの宛先であるか否かを判別する宛先判別手段と、前記判別の結果、前記契約済ユーザの宛先でなければ、前記契約済でないユーザの宛先を有する前記制御情報を無効化する制御情報無効化手段とを備えることを特徴とする。
【００２６】
また、前記第１の目的を達成するために、本発明に係る再送信装置は、前記制御情報は、ＥＭＭ情報であり、当該ＥＭＭ情報は、各契約済ユーザ宛の宛先ＩＤが付された個別のＥＭＭ情報を含み、前記宛先検出手段は、受信した前記宛先ＩＤを検出する宛先ＩＤ検出手段であり、前記宛先判別手段は、検出された前記宛先ＩＤと契約済ユーザの契約ＩＤとが一致するか否かを判別する契約状態判別手段であり、前記制御情報無効化手段は、前記判別の結果、前記宛先ＩＤと前記契約ＩＤとが一致しなければ、一致しない前記宛先ＩＤが付される前記個別のＥＭＭ情報を無効化するＥＭＭ情報無効化手段であることを特徴とする。
【００２７】
そして、前記第２の目的を達成するために、本発明に係る再送信装置における制御情報無効化手段は、前記制御情報を前記ユーザ宛のメッセージで置き換えることにより前記制御情報を無効化し、また、ＥＭＭ情報無効化手段は、前記ＥＭＭ情報を、特定メッセージを表示するメッセージ表示機能情報で置き換えることにより前記ＥＭＭ情報を無効化することを特徴とする。
【００２８】
前記第３の目的を達成するために、本発明に係る再送信装置において、ＥＭＭ情報は、再送信側における伝送情報の伝送誤りを検証するためのＣＲＣ情報を含み、前記ＥＭＭ情報無効化手段は、前記宛先ＩＤと前記契約ＩＤとが一致しない場合には、前記宛先ＩＤが付されるＥＭＭ情報と前記ＣＲＣ情報を変化させない所定ビットパターンとの排他的論理和をとることにより前記ＥＭＭ情報を無効化することを特徴とする。
【００２９】
尚、本発明は、上述したような放送センタと、再送信装置と、複数の受信機とから成る再送信システムとして実現できるだけではなく、前記再送信装置が備える特徴的な処理手段を処理ステップとする再送信方法として実現したり、これらの処理ステップをコンピュータに実行させるためのプログラムとして実現することもできる。そして、このプログラムは、ＣＤ−ＲＯＭ等の記録媒体や通信ネットワーク等の伝送媒体を介して流通させることができるのは言うまでもない。
【００３０】
【発明の実施の形態】
以下、本発明の実施の形態について図面を参照しながら説明する。尚、本発明は下記の実施の形態に限定されるものではなく、その要旨を逸脱しない範囲において種々なる態様で実施できる。
【００３１】
（実施の形態１）
まず、本発明の実施の形態１に係る再送信装置１０４について説明する。本実施の形態１においては、ＥＭＭセクション３０１に含まれるＥＭＭ情報３０５を、メッセージを表示するメッセージ表示情報３０７で置き換える形態について説明する。
【００３２】
図１は、本実施の形態１に係る再送信装置１０４を備える再送信システムの全体構成図である。本実施の形態１に係る再送信システムとは、放送センタ１０１においてパケット化されて伝送される映像、音声、データ等のデジタル放送信号を有するトランスポート・ストリームを、衛星受信機１０７、ＣＡＴＶ受信機１０６等の受信機側において必要な信号を取り出し視聴者に対して規定に従った番組を提供するシステムである。この再送信システムは、放送センタ１０１、人工衛星１０２、放送センタ１０１と衛星回線の伝送路を介して接続されるＣＡＴＶ局１０３、変調変換方式を用いてデジタル放送信号をＣＡＴＶ受信機１０６へ再送信する再送信装置１０４、当該再送信装置１０４とＣＡＴＶ受信機１０６とを接続するＣＡＴＶ網１０５、再送信されるデジタル放送信号を受信するＣＡＴＶ受信機１０６、衛星受信機１０７、及びＣＡＴＶ受信機１０６及び衛星受信機１０７に差し込まれるＩＣカード１０８を備えている。
【００３３】
放送センタ１０１は、有料のデジタル放送信号にスクランブルを施し、スクランブルを解くために必要な暗号鍵情報を映像、音声信号と共に多重化してトランスポート・ストリームを作成して、この多重化して合成されたトランスポート・ストリームは、衛星回線に適した伝送方式に変調されたデジタル放送信号として再送信装置１０４側へ送出される。前記スクランブルを解くために必要な情報のうち、各ＣＡＴＶ受信機１０６個別の情報はＥＭＭ情報である。尚、このＥＭＭ情報は、通常放送センタ１０１において送信されるデジタル放送信号に多重化されて伝送される情報である。
【００３４】
人口衛星１０２は、衛星回線としての役割を有し、放送センタ１０１と衛星受信機１０７との接続、及び放送センタ１０１とＣＡＴＶ局１０３との接続を行う伝送路の役割を有する。ＣＡＴＶ局１０３は、日本の各地域に設置されており、放送センタ１０１より送信されるデジタル放送信号を受信アンテナ１０９より受信する。
【００３５】
再送信装置１０４は、受信したデジタル放送信号に含まれるトランスポート・ストリームの復調の受信処理を行い、次に、番組配列情報を衛星伝送用からケーブル伝送用に変換し、さらに、復調したデジタル放送信号をＣＡＴＶ網１０５で規定されているＱＡＭ方式に変調する装置である。
【００３６】
ＣＡＴＶ網１０５は、同軸ケーブル等によりＣＡＴＶ局１０３とＣＡＴＶ受信機１０６とを結ぶ伝送路であり、変調変換方式により再送信装置１０４より伝送されるＣＡＴＶ用の変調方式・伝送周波数に変換されたトランスポート・ストリームは、ＣＡＴＶ網１０５を介してＣＡＴＶ受信機１０６へ伝送される。
【００３７】
ＣＡＴＶ受信機１０６は、再送信装置１０４より再送信されるデジタル放送信号を受信し、このデジタル放送信号を受信処理して得られる映像、音声等の信号を端子から出す受信機であり、この端子とテレビ側の端子とを繋ぐことにより、視聴者は番組の視聴が可能となる。尚、ＣＡＴＶ受信機１０６は、テレビ内蔵受信機としてテレビに組み込まれることもある。
【００３８】
衛星受信機１０７は、ＣＳデジタル放送、ＢＳデジタル放送等の衛星放送を直接受信する受信機であり、例えば、チューナー型の単体受信機である。
【００３９】
ＩＣカード１０８は、ＣＡＴＶ受信機１０６及び衛星受信機１０７に有料チャンネル等に施されたスクランブルを解除するために挿入されるカードであり、マスター鍵（Ｋｍ）を有している。ＢＳデジタル放送においては、このＩＣカード１０８は、Ｂ−ＣＡＳカードのことである。通常の限定受信システムにおいて、ＣＡＴＶ受信機１０６は、ＩＣカード１０８に含まれるマスター鍵（Ｋｍ）を用いてＥＭＭ情報を復号化してワーク鍵（Ｋｗ）を取り出し、さらにワーク鍵（Ｋｗ）を用いてＥＣＭ（Ｅｎｔｉｔｌｅｍｅｎｔ　Ｃｏｎｔｒｏｌ　Ｍｅｓｓａｇｅ：制御用メッセージ）情報を復号化することによりスクランブル鍵（Ｋｓ）を取得する。そして、スクランブル鍵（Ｋｓ）によりスクランブルされた映像、音声、データ等のスクランブルを解除して番組の視聴を行う。
【００４０】
図２は、本実施の形態１に係る再送信装置１０４の構成を示すブロック図である。尚、本発明に係る再送信装置１０４は、この図２に示す構成に限定されるものではなく、その要旨を逸脱しない範囲において種々なる態様で実施しうる。
【００４１】
再送信装置１０４は、ＣＡＴＶ局１０３内に設置される装置であり、本実施の形態１においては、図１２に示す従来の再送信装置１２０４の構成に加えて、ＥＭＭ本体に付与された宛先ＩＤを検出するＥＭＭ宛先ＩＤ検出部２０５と、契約者の契約状態を判別する契約状態判別部２０６と、ＥＭＭ情報を無効化するためのＥＭＭ情報無効化部２０７とを有する。
【００４２】
ＥＭＭ宛先ＩＤ検出部２０５は、ＥＭＭセクションに含まれる個別のＥＭＭ情報のそれぞれに付与されている宛先ＩＤを検出する。この宛先ＩＤは、一般的には、各ＣＡＴＶ受信機１０６に挿入されるＩＣカード１０８に付与されている各契約者に固有の番号と一致しており、例えば４桁５ブロックの数字列となる。
【００４３】
契約状態判別部２０６は、ＣＡＴＶ局１０３と正規に契約された契約ＩＤと、ＥＭＭ宛先ＩＤ検出部２０５により検出される宛先ＩＤとを比較して、ＩＤが一致するか否かの判別を行う。この判別は、例えば、契約状態判別部２０６が契約ＩＤを蓄積したリストを有するデータベースを備え、前記検出された宛先ＩＤとデータベースの契約ＩＤとを比較することにより行う。
【００４４】
ＥＭＭ情報無効化部２０７は、契約状態判別部２０６において宛先ＩＤが未契約であると判別された場合には、未契約の宛先ＩＤが付されたＥＭＭ情報を無効化する。本実施の形態１においては、ＥＭＭ情報無効化部２０７は、ＥＭＭ情報をメッセージ表示情報で置き換える。
【００４５】
図３は、本実施の形態１に係るＥＭＭセクション３０１の構成例を示す。尚、図３は例示のために示すものであり、本発明に係るＥＭＭセクション３０１は、図３の構成に限定されるものではない。
【００４６】
通常、デジタル放送信号のトランスポート・ストリームのペイロード部には、映像や音声のストリームをパケット化したパケットデータの他に、セクション形式のデータも格納され伝送される。ＥＭＭセクション３０１は、このセクション形式のデータの１つである。
【００４７】
ＥＭＭセクション３０１は、ワーク鍵（Ｋｗ）を伝送すると共に、有料放送における加入者の契約タイプや契約期間等の契約情報をも伝送するデータである。また、ＥＭＭセクション３０１は、各ＣＡＴＶ受信機１０６宛のＥＭＭ本体３０３を複数含み、これらＥＭＭ本体３０３を、ＥＭＭセクションヘッダ３０２とセクションＣＲＣ（Ｃｙｃｌｉｃ　Ｒｅｄｕｎｄａｎｃｙ　Ｃｈｅｃｋ：巡回誤り訂正符号）３０６とで挟んで構成されている。
【００４８】
ＥＭＭセクションヘッダ３０２は、ＥＭＭセクション３０１の先端領域に付与され、ＥＭＭセクション３０１の種類や順番を示す情報である。
【００４９】
ＥＭＭ本体３０３は、ＥＭＭ情報３０５の宛先ＣＡＴＶ受信機１０６を指定する宛先ＩＤ３０４と、これら各宛先ＣＡＴＶ受信機１０６に送る個別のＥＭＭ情報３０５とで構成される。
【００５０】
宛先ＩＤ３０４は、ＥＭＭ情報３０５を送信するＣＡＴＶ受信機１０６を特定するための識別番号の役割を有し、上述したように、通常ＣＡＴＶ受信機１０６に挿入されているＩＣカード１０８の番号と一致する。尚、宛先ＩＤ３０４は、暗号化されない非暗号化部に含まれるものである。
【００５１】
ＥＭＭ情報３０５は、暗号化されたデジタル放送信号を復号化するために必要なワーク鍵（Ｋｗ）情報を宛先ＩＤ３０４に固有な暗号鍵であるマスター鍵（Ｋｍ）で暗号化して格納している。そして、ＣＡＴＶ受信機１０６に差し込まれるＩＣカード１０８には、マスター鍵（Ｋｍ）が格納されている。ＣＡＴＶ受信機１０６は、当該ＣＡＴＶ受信機１０６に挿入されているＩＣカード１０８の番号と同一の番号を有する宛先ＩＤ３０４が付されているＥＭＭ情報３０５を、ＩＣカード１０８に格納されたマスター鍵（Ｋｍ）を用いて復号化する。
【００５２】
セクションＣＲＣ３０６は、伝送誤り検出のためＥＭＭセクション３０１全体のＣＲＣの値を格納している。ＥＭＭセクション３０１は、セクションＣＲＣ３０６による伝送誤り検出が行われているため、ＥＭＭ情報３０５をメッセージ表示情報３０７へ書き換えた場合には、ＥＭＭセクション３０１のデータが変化するため、セクションＣＲＣ３０６は、再計算され書き換えられる必要がある。
【００５３】
メッセージ表示情報３０７は、宛先ＩＤ３０４が契約済の契約ＩＤと一致しない場合において、当該宛先ＩＤが付されたＥＭＭ情報３０５から置き換えられる情報である。
【００５４】
尚、メッセージ表示情報３０７は、例えば、ＣＡＴＶ受信機１０６、ＢＳチューナー等に予め記憶されているメッセージ、又は特定の放送局を見ている全ての受信者共通に繰り返し送られる共通メッセージの文言集より選択されるメッセージでもよい。また、例えば、画面に表示されるメッセージは、未契約の視聴者に対して加入を促進するメッセージ、ＣＡＴＶ局へ連絡を促すメッセージ等でよい。
【００５５】
図４は、本実施の形態１に係るＥＭＭ本体３０３の構成例を示す図である。ＥＭＭ本体３０３は、固定的に伝送される固定部４０１と、目的によって内容が異なる可変部４０２と、ＥＭＭ本体３０３への改ざんを検出するための情報である改ざん検出部４０３より構成されている。
【００５６】
固定部４０１の先頭領域には、宛先ＣＡＴＶ受信機１０６に用いられるＩＣカード１０８の番号と同じ番号となる宛先ＩＤ３０４が配置され、ＣＡＴＶ受信機１０６は、この宛先ＩＤ３０４をフィルタリングして、ＣＡＴＶ受信機１０６宛のＥＭＭ情報３０５を識別することができる。また、固定部４０１は、例えば、ＥＭＭ情報３０５の有効期限を示す有効期限４０４が含まれる。
【００５７】
可変部４０２は、ＥＭＭ情報３０５の送信目的に応じて必要な機能情報を配置することができ、例えば、ワーク鍵（Ｋｗ）を送るワーク鍵（Ｋｗ）情報４０５を配置する。
【００５８】
尚、図４に示すＥＭＭ本体３０３の構成例は説明のための例示であり、全てのＥＭＭ情報が公開されている情報ではなく、例えば、ＢＳデジタル放送のＢ−ＣＡＳに用いられるＥＭＭ情報に含まれる暗号鍵の格納フォーマット情報等は非公開の情報である。
【００５９】
次に、以上のように構成された本実施の形態１における再送信装置１０４の動作について説明する。
図５は、本実施の形態１に係る再送信装置１０４の動作手順を示すフローチャートである。まず、再送信装置１０４に設けられた受信アンテナ１０９は、放送センタ１０１より衛星回線を介して送信され、変調されたデジタル放送信号を受信する。そして、再送信装置１０４に備えられたＱＰＳＫ復調部２０２は、デジタル放送信号を復調して元の映像、音声、データ等の再現を行う（ステップ５０１）。また、ＰＳＩ変換部２０３は、細分化された多くのチャンネルや番組関連の制御情報をＣＡＴＶ用に変換する（ステップ５０２）。さらに、ＥＭＭ宛先ＩＤ検出部２０５は、受信したデジタル放送信号に含まれる個別のＥＭＭ情報３０５の宛先を示す各宛先ＩＤ３０４を検出する（ステップ５０３）。
【００６０】
次に、契約状態判別部２０６は、例えば、当該契約状態判別部２０６が備えるデータベースに記憶されている契約済の契約ＩＤと前記宛先ＩＤ３０４とが一致するかどうか判別する（ステップ５０４）。そして、契約ＩＤと宛先ＩＤ３０４とが一致する場合には、ＥＭＭ情報無効化部２０７は、当該宛先ＩＤ３０４が付されたＥＭＭ情報３０５を保持したままの状態でＱＡＭ変調部２０４へ送信する（ステップ５０５）。一方、契約ＩＤと宛先ＩＤ３０４とが一致しない場合には、ＥＭＭ情報３０５をメッセージ表示情報３０７で置き換える（ステップ５０７）。
【００６１】
ＥＭＭ情報３０５がメッセージ表示情報３０７で置き換えられる（ステップ５０７）ことにより、ＥＭＭセクション３０１のデータが変化するため、セクションＣＲＣ３０６を更新する必要があり、例えば、ＣＲＣ更新部等によりセクションＣＲＣ３０６の再計算を行う（ステップ５０８）。そして、ＱＡＭ変調部２０４は、復調されたデジタル放送信号をＣＡＴＶ用にデジタル変調してからＣＡＴＶ網１０５へ送出する（ステップ５０６）。
【００６２】
以上のように、本実施の形態１に係る再送信装置１０４を備える再送信システムによれば、ＥＭＭ宛先ＩＤ検出部２０５は、ＥＭＭセクション３０１に含まれる個別のＥＭＭ情報３０５の宛先を示す宛先ＩＤ３０４を検出し、契約状態判別部２０６は、宛先ＩＤ３０４と契約済の契約ＩＤとを比較して、ＩＤが一致するか否かの判別を行う。宛先ＩＤ３０４が契約ＩＤと一致しない場合には、ＥＭＭ情報無効化部２０７は、未契約ＩＤが付されているＥＭＭ情報３０５をメッセージ表示情報３０７で置き換えることにより無効化する。
【００６３】
このため、一定期間ごとに更新を要するデジタル放送信号のスクランブルを解除するために必要なワーク鍵（Ｋｗ）は、一定期間経過すると更新されない状態となる。従って、ＣＡＴＶ局１０３と正式な契約をしていない未契約のＩＣカード１０８を有するＣＡＴＶ受信機１０６においては、デジタル放送信号のスクランブルを解除できなくなり、放送センタ１０１と契約していてもＣＡＴＶ局１０３と正規の契約をしていない視聴者の不正な視聴を防止すると共に、デジタル放送の視聴者からの確実な料金回収を行うことのできる再送信装置１０４を提供することができる。
【００６４】
また、本実施の形態１に係る再送信装置１０４により、宛先ＩＤ３０４と契約ＩＤとが一致しない場合には、ＥＭＭ情報無効化部２０７は、ＥＭＭ情報３０５を未契約の視聴者に対して加入を促進するメッセージ等のメッセージ表示情報３０７で置き換えるため、故意や過失がなくＣＡＴＶ網１０５を伝送路としてデジタル放送を視聴してしまった視聴者に対して、より効率的にＣＡＴＶ局１０３との正規の契約を促すことができる。
【００６５】
（実施の形態２）
次に、本発明の実施の形態２に係る再送信装置１０４を用いる再送信システムについて説明する。尚、本実施の形態２においては、ＥＭＭセクション３０１に含まれるＥＭＭ情報３０５を削除する形態について説明するものであり、上述した実施の形態１とは異なる点を中心に説明する。
【００６６】
図６は、本実施の形態２に係る再送信装置１０４の構成の一例を示すブロック図である。
【００６７】
再送信装置１０４は、ＥＭＭ宛先ＩＤ検出部２０５、契約状態判別部２０６、ＥＭＭ情報無効化部２０７等の構成に加えて、さらに、ＣＲＣ更新部６０１及びデータベース６０２を備えている。
【００６８】
本実施の形態２においては、ＥＭＭ情報無効化部２０７は、宛先ＩＤが未契約のＩＤと判断された場合には、ＥＭＭ情報３０５をＥＭＭ本体３０３より削除するためＥＭＭセクション３０１のデータが変化する。従って、ＣＲＣ更新部６０１は、セクションＣＲＣ３０６の情報を更新し、ＱＡＭ変調部２０４は、更新されたセクションＣＲＣ３０６を有するＥＭＭセクション３０１をＣＡＴＶ用にデジタル変調してＣＡＴＶ網１０５へ送出する。
【００６９】
また、データベース６０２は、契約状態判別部２０６に設けられるハードディスク等であり、ＩＤ、契約期間の開始、及び契約期間の終了を記憶するリスト６０２ａを保持している。このデータベース６０２は、例えば、ＣＡＴＶ局１０３において、オペレータがキーボード操作にて入力して作成されるものである。
【００７０】
リスト６０２ａに保持されるＩＤは、通常ＣＡＴＶ受信機１０６に差し込まれるＩＣカード１０８に付与されている番号と同一であり、リスト６０２ａに保持される契約期間の開始及び契約期間の終了は、例えば、２００２年９月及び２００２年１２月と保持される。尚、リスト６０２ａに保持される情報は、これらＩＤ、契約期間の開始、及び契約期間の終了情報に限定されるものではなく、契約番組、サービス内容等他の情報を保持することができるのは言うまでもない。
【００７１】
次に、以上のように構成された本実施の形態２における再送信装置１０４の動作について説明する。
図７は、本実施の形態２に係る再送信装置１０４の動作手順を示すフローチャートである。まず、再送信装置１０４に設けられた受信アンテナ１０９は、放送センタ１０１より送信され、変調されたデジタル放送信号を受信する。そして、再送信装置１０４に備えられたＱＰＳＫ復調部２０２は、デジタル放送信号を復調して元の映像、音声、データ等の再現を行う（ステップ５０１）。また、ＰＳＩ変換部２０３は、細分化された多くのチャンネルや番組関連の制御情報をＣＡＴＶ用に変換する（ステップ５０２）。さらに、ＥＭＭ宛先ＩＤ検出部２０５は、受信したＥＭＭセクション３０１に含まれる個別のＥＭＭ情報３０５の宛先を示す各宛先ＩＤ３０４を検出する（ステップ５０３）。
【００７２】
次に、契約状態判別部２０６は、契約済の契約ＩＤと前記宛先ＩＤ３０４とが一致するかどうか判別する（ステップ５０４）。そして、契約ＩＤと宛先ＩＤ３０４とが一致する場合には、ＥＭＭ情報無効化部２０７は、当該宛先ＩＤ３０４が付されたＥＭＭ情報３０５を保持したままの状態でＱＡＭ変調部２０４へ送信する（ステップ５０５）。一方、契約ＩＤと宛先ＩＤ３０４とが一致しない場合には、ＥＭＭ情報３０５を削除する（ステップ７０１）。この場合には、ＥＭＭ情報３０５が削除されることにより、ＥＭＭセクション３０１のデータが変化するため、セクションＣＲＣ３０６を更新する必要が生じる。このため、ＣＲＣ更新部６０１は、セクションＣＲＣ３０６の再計算を行う（ステップ７０２）。次に、ＱＡＭ変調部２０４は、復調されたデジタル放送信号をＣＡＴＶ用にデジタル変調してからＣＡＴＶ網１０５へ送出して（ステップ５０６）一連の再送信システムの処理を完了する。
【００７３】
図８は、本実施の形態２に係るＥＭＭセクション３０１の構成例を示す図である。本実施の形態２においては、再送信装置１０４に備えられるＥＭＭ情報無効化部２０７は、宛先ＩＤ３０４がＣＡＴＶ局１０３と契約済のＩＤでない場合には、図８に示すように、宛先ＩＤ３０４が付されたＥＭＭ情報８０１を削除する。
【００７４】
このため、前記宛先ＩＤ３０４が付されたＥＭＭ情報８０１が送信されるＣＡＴＶ受信機１０６においては、ＥＭＭ情報８０１は更新されないため、ワーク鍵（Ｋｗ）を取り出すことができず、さらには、受信したデジタル放送信号のスクランブルを解くためのスクランブル鍵（Ｋｓ）をも取り出すことができない。
【００７５】
図９は、本実施の形態２に係るデジタル放送信号の再送信システムの概略図である。Ｂ−ＣＡＳ等のＣＡＳにおいては、一般的にはスクランブル鍵（Ｋｓ）、ワーク鍵（Ｋｗ）、及びマスター鍵（Ｋｍ）の３種類の暗号鍵が使用されており、放送センタ１０１等の送信側９０１においては、番組の映像、音声、データ等のデジタル放送信号を前記スクランブル鍵（Ｋｓ）を用いてスクランブル（９０２）して受信側９０５へ送信する。
【００７６】
スクランブル鍵（Ｋｓ）は、映像、音声、データのそれぞれの信号にスクランブルを掛けるための鍵であり、ワーク鍵（Ｋｗ）を用いて暗号化（９０３）され、デスクランブルを行うためのスクランブル鍵（Ｋｓ）を伝送するための信号であるＥＣＭ情報として受信側９０５へ送信される。スクランブル鍵（Ｋｓ）は、通常、数秒ごとに更新される。
【００７７】
ワーク鍵（Ｋｗ）は、ＥＣＭ情報を暗号化するための鍵であり、マスター鍵（Ｋｍ）を用いて暗号化（９０４）され、ワーク鍵（Ｋｗ）を伝送するためのＥＭＭ情報８０１と共に受信側９０５へ伝送され、通常一定の周期ごとに更新される。この周期は、例えば、１月毎となる。
【００７８】
マスター鍵（Ｋｍ）は、ＥＭＭ情報８０１を暗号化するための鍵であり、通常、受信側が備えるＩＣカード毎に固有の鍵であり、基本的に固定され更新されることはない。
【００７９】
本実施の形態２においては、ＥＭＭ情報８０１は、送信側９０１より受信側９０５へ再送信される際に、ＥＭＭ情報無効化部２０７によって削除される。このため、受信側９０５において、マスター鍵（Ｋｍ）を用いてＥＭＭ情報を復号化（９０６）してもワーク鍵（Ｋｗ）を取り出せず、また、ワーク鍵（Ｋｗ）を取り出せないためにＥＣＭ情報を復号化（９０７）することができず、このため、スクランブル鍵（Ｋｓ）を取り出せず、スクランブルされたデジタル放送信号をデスクランブル（９０８）することができず、ＣＡＴＶ局１０３と未契約の視聴者は、番組の視聴不可となる。
【００８０】
以上のように、本実施の形態２に係る再送信装置１０４を備える再送信システムによれば、ＥＭＭ情報無効化部２０７は、宛先ＩＤ３０４が契約ＩＤと一致しない場合には、未契約ＩＤが付されたＥＭＭ情報３０５を削除することにより無効化する。
【００８１】
このため、一定期間ごとに更新を要するデジタル放送信号のスクランブルを解除するために必要なワーク鍵（Ｋｗ）は、一定期間経過すると更新されない状態となる。従って、ＣＡＴＶ局１０３と正式な契約をしていない未契約のＩＤを有するＩＣカード１０８が挿入されたＣＡＴＶ受信機１０６においては、ＥＭＭ情報３０５が無効化されることによりデジタル放送信号のスクランブルを解除できなくなる。従って、放送センタ１０１と契約していてもＣＡＴＶ局１０３との正規の契約をしていない視聴者の不正な視聴を防止すると共に、デジタル放送の視聴者からの確実な料金回収を行うことができる再送信装置１０４を提供することができる。
【００８２】
また、本実施の形態２に係る再送信装置１０４において、ＣＲＣ更新部６０１は、セクションＣＲＣ３０６の情報を更新してから後に、ＱＡＭ変調部２０４へＥＭＭセクション３０１を送信する。このため、より確実にＣＡＴＶ網１０５等の伝送路における伝送誤りを検出することが可能となる。
【００８３】
尚、本実施の形態２においては、ＥＭＭ情報３０５を削除する例を説明したが、この削除に代えて、ＥＭＭ情報３０５を空欄化したり、又はＦＦＦ等の所定ビットパターンに置き換えることも考えられる。また、ＥＭＭ情報無効化部２０７は、宛先ＩＤ３０４とＥＭＭ情報３０５とを共に削除することも可能である。
【００８４】
（実施の形態３）
次に、本発明の実施の形態３に係る再送信装置１０４を用いる再送信システムについて説明する。本実施の形態３においては、ＥＭＭ情報３０５と所定ビットパターンとの排他的論理和を用いることによりセクションＣＲＣ３０６の値を変化させないでＥＭＭ情報３０５を無効化する形態について説明する。尚、本実施の形態３における再送信装置１０４の構成は、上述した実施の形態１又は実施の形態２と同様とする。
【００８５】
まず、本実施の形態３に係る再送信装置１０４の動作について説明する。図１０は、本実施の形態３に係る再送信装置１０４の動作手順を示すフローチャートである。
【００８６】
受信アンテナ１０９は、放送センタ１０１より送信されるデジタル放送信号を受信し、ＱＰＳＫ復調部２０２は、デジタル放送信号を復調して元の映像等の再現を行い（ステップ５０１）、ＰＳＩ変換部２０３は、ＥＭＭ情報３０５等をＣＡＴＶ用に変換し（ステップ５０２）、次に、ＥＭＭ宛先ＩＤ検出部２０５は、個別のＥＭＭ情報３０５の宛先を示す各宛先ＩＤ３０４を検出する（ステップ５０３）。
【００８７】
そして、契約状態判別部２０６は、契約済の契約ＩＤと宛先ＩＤ３０４とが一致するかどうか判別し（ステップ５０４）、契約ＩＤと宛先ＩＤ３０４とが一致する場合には、ＥＭＭ情報無効化部２０７は、ＥＭＭ情報を保持したままの状態でＱＡＭ変調部２０４へＥＭＭ情報３０５を送信する（ステップ５０５）。
【００８８】
一方、契約ＩＤと宛先ＩＤ３０４とが一致しない場合には、ＥＭＭ情報無効化部２０７は、ＥＭＭ情報３０５とセクションＣＲＣ３０６を変化させないビットパターンとの排他的論理和を行なうことにより（ステップ１００１）ＥＭＭ情報３０５を無効化する。ここでは、この排他的論理和として、例えば、ＣＲＣの生成多項式の係数との排他的論理和を用いる。具体的には、前記ビットパターンは、１６進表記で０１　０４　Ｃ１　１Ｄ　Ｄ７の５バイト等が該当する。尚、排他的論理和の計算方法は、新規な方法ではないため詳細な計算内容は記載を省く。
【００８９】
次に、ＱＡＭ変調部２０４は、復調されたデジタル放送信号をＣＡＴＶ用にデジタル変調してからＣＡＴＶ網１０５へ送出して（ステップ５０６）一連の再送信システムの処理を完了する。
【００９０】
このように、ＥＭＭ情報３０５とセクションＣＲＣ３０６の値が変化しないような所定のビットパターンとの排他的論理和を用いて書き直すため、ＥＭＭ情報３０５の内容であるワーク鍵（Ｋｗ）のデータは無効なデータに変化するが、個別のＥＭＭ情報３０５は有効なものとしてＣＡＴＶ受信機１０６に認識される。
【００９１】
図１１は、実施の形態３に係るＥＭＭセクション３０１の構成例を示す図である。本実施の形態３においては、再送信装置１０４に備えられるＥＭＭ情報無効化部２０７は、宛先ＩＤ３０４がＣＡＴＶ局１０３と契約済のＩＤでない場合には、ＥＭＭ情報３０５と所定ビットパターンとの排他的論理和をとることにより、セクションＣＲＣ３０６を変化させずに宛先ＩＤ３０４が付されたＥＭＭ情報３０５を無効化する。
【００９２】
このため、ＣＡＴＶ受信機１０６は、誤ったＥＭＭ情報１１０１に含まれるワーク鍵（Ｋｗ）を正規のワーク鍵（Ｋｗ）と認識して更新するか、改ざん検出により不正なＥＭＭ情報１１０１として破棄する。従って、一定期間経過後には、ＣＡＴＶ受信機１０６は、受信した暗号化されたデジタル放送信号のスクランブルを解くことができなくなる。
【００９３】
以上のように、本実施の形態３に係る再送信装置１０４を備える再送信システムによれば、ＥＭＭ情報無効化部２０７は、宛先ＩＤ３０４が契約ＩＤと一致しない場合には、当該宛先ＩＤ３０４が付されたＥＭＭ情報３０５を無効化する。この無効化の方法として、ＥＭＭ情報３０５と所定ビットパターンとの排他的論理和を行う。この場合、セクションＣＲＣ３０６の値は変化しないため、ＥＭＭ情報３０５のみが無効化され、セクションＣＲＣ３０６の再計算は不要となる。このため、再送信装置１０４において処理負荷がかからないような簡易な形でＥＭＭ情報１１０１を無効化することができる。
【００９４】
また、ＥＭＭ情報１１０１が無効化されるため、ＣＡＴＶ受信機１０６側においてデジタル放送信号のスクランブルを解除できずに、ＣＡＴＶ局１０３と正式に契約していない視聴者の不正な視聴を防止すると共に、デジタル放送の視聴者からの確実な料金回収を行うことができる再送信装置１０４を提供することができる。
【００９５】
そして、以上の実施の形態においては、ＥＭＭ情報３０５を削除等するのと同様の作用効果を、例えば宛先ＩＤ３０４を空欄化することや、ＥＭＭ情報３０５又は宛先ＩＤ３０４の少なくとも一方をＦＦＦ等の所定のビットパターンで置き換えることにより得ることができる。
【００９６】
また、以上の実施の形態においては、ＥＭＭ情報３０５に含まれる情報の全てをメッセージ表示情報３０７で置き換える形態、及び削除する形態について説明したが、ＥＭＭ情報３０５に含まれる情報の一部であるワーク鍵（Ｋｗ）に関する機能情報等、一部の情報を置き換えたり、削除したりすることで同様の作用効果を得ることも考えられる。
【００９７】
【発明の効果】
以上のように、本発明に係る再送信装置は、暗号化された放送信号と、前記放送信号の暗号を復号化するために必要な制御情報とを受信して、契約したユーザ側に伝送路を介して再送信する再送信装置であって、前記制御情報は、当該制御情報の送信先を特定する宛先を有し、前記再送信装置は、受信した前記制御情報の宛先を検出する宛先検出手段と、検出された前記宛先が契約済ユーザの宛先であるか否かを判別する宛先判別手段と、前記判別の結果、前記契約済ユーザの宛先でなければ、前記契約済でないユーザの宛先を有する前記制御情報を無効化する制御情報無効化手段とを備える。
【００９８】
これによって、宛先判別手段は、宛先ＩＤが契約済でないＩＤか否かの判別を行い、制御情報無効化手段は、宛先ＩＤが未契約の場合には制御情報を無効化することができ、未契約のＩＤのＩＣカードを有する受信機は、無効化された制御情報を受信するため、放送信号の暗号化を解くことができず、不正な視聴を防止する再送信装置を実現することができる。
【００９９】
また、本発明に係る再送信装置は、制御情報は、ＥＭＭ情報であり、当該ＥＭＭ情報は、各契約済ユーザ宛の宛先ＩＤが付された個別のＥＭＭ情報を含み、宛先検出手段は、受信した前記宛先ＩＤを検出する宛先ＩＤ検出手段であり、宛先判別手段は、検出された前記宛先ＩＤと契約済ユーザの契約ＩＤとが一致するか否かを判別する契約状態判別手段であり、制御情報無効化手段は、前記判別の結果、前記宛先ＩＤと前記契約ＩＤとが一致しなければ、一致しない前記宛先ＩＤが付される前記個別のＥＭＭ情報を無効化するＥＭＭ情報無効化手段であることを特徴とする。
【０１００】
これによって、契約状態判別手段は、宛先ＩＤが契約済でないＩＤか否かの判別を行い、ＥＭＭ情報無効化手段は、宛先ＩＤが未契約の場合にはＥＭＭ情報を無効化することができ、未契約のＩＤのＩＣカードを有するＣＡＴＶ受信機は、無効化されたＥＭＭ情報を受信するため、放送信号の暗号化を解くためのワーク鍵（Ｋｗ）が更新されず、一定期間後には番組のスクランブルを解除できなくなり、不正な視聴を防止する再送信装置を実現することができる。
【０１０１】
さらに、本発明に係る再送信装置が備える制御情報無効化手段は、前記制御情報を前記ユーザ宛のメッセージで置き換えることにより前記制御情報を無効化し、また、本発明に係るＥＭＭ情報無効化手段は、前記ＥＭＭ情報を、特定メッセージを表示するメッセージ表示機能情報で置き換えることにより前記ＥＭＭ情報を無効化する。このため、放送局と正規の契約をしていない未契約の視聴者に対して加入を促すメッセージを画面に表示することが可能となり、より効果的に不正な視聴を防止する再送信装置を実現することができる。
【図面の簡単な説明】
【図１】実施の形態１に係る再送信装置を備える再送信システムの全体構成図である。
【図２】実施の形態１に係る再送信装置の構成の一例を示すブロック図である。
【図３】実施の形態１に係るＥＭＭの伝送形態であるＥＭＭセクションの構成例である。
【図４】実施の形態１に係るＥＭＭ本体の構成例を示す図である。
【図５】実施の形態１に係る再送信装置の動作手順を示すフローチャートである。
【図６】実施の形態２に係る再送信装置の構成の一例を示すブロック図である。
【図７】実施の形態２に係る再送信装置の動作手順を示すフローチャートである。
【図８】実施の形態２に係るＥＭＭセクションの構成例を示す図である。
【図９】実施の形態２に係るデジタル放送信号の再送信システムの概略図である。
【図１０】実施の形態３に係る再送信装置１０４の動作手順を示すフローチャートである。
【図１１】実施の形態３に係るＥＭＭセクションの構成例を示す図である。
【図１２】変調変換方式による従来の再送信装置の構成の一例を示すブロック図である。
【符号の説明】
１０１　放送センタ
１０２　人工衛星
１０３　ＣＡＴＶ局
１０４　再送信装置
１０５　ＣＡＴＶ網
１０６　ＣＡＴＶ受信機
１０７　衛星受信機
１０８　ＩＣカード
２０５　ＥＭＭ宛先ＩＤ検出部
２０６　契約状態判別部
２０７　ＥＭＭ情報無効化部
３０２　ＥＭＭセクション
３０４　宛先ＩＤ
３０５　ＥＭＭ情報
３０６　セクションＣＲＣ
６０１　ＣＲＣ更新部
６０２　データベース
【図１】
2004112527.tif 000003
【図２】
2004112527.tif 000004
【図３】
2004112527.tif 000005
【図４】
2004112527.tif 000006
【図５】
2004112527.tif 000007
【図６】
2004112527.tif 000008
【図７】
2004112527.tif 000009
【図８】
2004112527.tif 000010
【図９】
2004112527.tif 000011
【図１０】
2004112527.tif 000012
【図１１】
2004112527.tif 000013
【図１２】
2004112527.tif 000014